(57)【要約】  エアロゾル吸引器のためのエアロゾル発生液（Ｌ）は、プロピレングリコールの溶媒中に親油性香料としてのＬ−メントールを含有した主成分と、この主成分中に添加され、２５℃の温度下にて、１×１０−９〜２０ｍｍＨｇの蒸気圧を有するカルボン酸とを含む。
2009069519.tif 000002
【特許請求の範囲】
【請求項１】
吸引動作時に香料溶液を加熱霧化してエアロゾルを発生させ、このエアロゾルを吸引空気流ともに吸引するために使用されるエアロゾル吸引器において、
前記香料溶液のためのエアロゾル発生液は、
溶媒中に親油性の香料を含有した主成分と、
前記主成分中に添加されたカルボン酸と
を含み、
前記カルボン酸は、２５℃の温度下にて、１×１０−９〜２０ｍｍＨｇの蒸気圧を有する、エアロゾル吸引器のためのエアロゾル発生液。
【請求項２】
前記カルボン酸は、前記主成分中に１０重量％以下含まれている、請求項１のエアロゾル発生液。
【請求項３】
前記カルボン酸は、酢酸、酒石酸、アジピン酸、クエン酸、ラウリン酸から選択された１つ以上を含む、請求項１又は２のエアロゾル発生液。
【請求項４】
前記溶媒は、プロピレングリコールを含む、請求項１のエアロゾル発生液。
【請求項５】
前記香料は、Ｌ−メントールを含む、請求項１のエアロゾル発生液。
【請求項６】
前記主成分は、前記溶剤としてのプロピレングリコールと、前記香料としてのＬ−メントールとを含む、請求項１のエアロゾル発生液。
【発明の詳細な説明】
【技術分野】
【０００１】
本発明は、ユーザが吸引動作を行ったとき、香料溶液を加熱霧化したエアロゾルを発生させ、このエアロゾルを吸引空気とともにユーザに吸引させるエアロゾル吸引器、特に、疑似喫煙を行うエアロゾル吸引器において、香料溶液に好適したエアロゾル発生液に関する。
【背景技術】
【０００２】
この種のエアロゾル吸引器は、例えば、特表2000-510763号公報、特許第3484233号公報及び特許第3488717号公報にそれぞれ開示されおり、これら公報の吸引器は、エアロゾルを発生させるための香料の霧化方式がそれぞれ異なっている。具体的には、特表2000-510763号公報の吸引器は、香料を含む香料溶液を加熱して霧化させ、特許第3484233号公報の吸引器は、香料溶液に超音波を与えて香料溶液を霧化させ、そして、特許第3488717号公報の吸引器は、香料溶液をスプレーして霧化させる。
【発明の開示】
【発明が解決しようとする課題】
【０００３】
上述したエアロゾル吸引器にて使用される香料溶液は何れの方式にて霧化されても、発生されたエアロゾル中の香気成分の割合、即ち、香気成分のエアロゾル化効率は低い。それ故、ユーザが吸引空気とともにエアロゾルを吸引したとき、ユーザはエアロゾル化された香気成分、即ち、香気エアロゾルの香気を十分に味わうことができない。【０００４】
また、香気エアロゾルの持続性が低いため、香気エアロゾルの吸引が疑似喫煙である場合には、香気エアロゾルがユーザの口腔内に流入しても、香気エアロゾルは瞬時に消滅する。このため、ユーザは通常のシガレットの喫煙のように、香気エアロゾルの香気をゆっくりと味わうことができない。【０００５】
本発明の目的は、十分な量の香気エアロゾルを発生させることができ、しかも、ユーザが口腔内にて香気エアロゾルの香気をゆっくりと味わうことができるエアロゾル吸引器のためのエアロゾル発生液を提供することにある。
【課題を解決するための手段】
【０００６】
上記の目的を達成するため、本発明のエアロゾル吸引器のためのエアロゾル発生液は、溶媒中に親油性の香料を含有した主成分と、この主成分中に添加されたカルボン酸と
を含み、このカルボン酸は、２５℃の温度下にて、１×１０−９〜２０ｍｍＨｇの蒸気圧を有する。【０００７】
好ましくは、カルボン酸は、主成分中に１０重量％以下含まれており、そして、カルボン酸は、酢酸、酒石酸、アジピン酸、クエン酸、ラウリン酸から選択された１つ以上を含む。【０００８】
上述のエアロゾル発生液がエアロゾル吸引器を使用し、香気エアロゾルとしてユーザに吸引されたとき、エアロゾル発生液に含まれるカルボン酸は、このカルボン酸を含まないエロゾル発生液に比べ、エアロゾル発生液の香料エアロゾル化効率や、香気エアロゾルの持続性を共に高める。【０００９】
具体的には、主成分は、溶剤としてのプロピレングリコールと、香料としてのＬ−メントールとを含み、この場合のエアロゾル発生液は疑似喫煙に好適する。
【発明の効果】
【００１０】
前述のエアロゾル発生液が疑似喫煙に使用されたとき、エアロゾル発生液は、持続性の高い香気エアロゾルを効率良く発生させる。この結果、ユーザはその口腔内にて、香気エアロゾルの風味及び味覚をゆっくり且つ十分に味わうことができ、通常のシガレットの喫煙のように疑似喫煙を楽しむことができる。
【図面の簡単な説明】
【００１１】
【図１】試験に使用したエアロゾル吸引器の一例を示した断面図、
【図２】香気エアロゾルの透過光減衰率と経過時間との関係を示したグラフである。
【発明を実施するための最良の形態】
【００１２】
エアロゾル吸引器のためのエアロゾル発生液は、主成分と、この主成分に添加された添加剤としてカルボン酸とを含む。具体的には、主成分は、溶剤及びこの溶剤中に含まれた親油性の香料とから形成されており、カルボン酸は、２５℃の温度下にて、１×１０−９〜２０ｍｍＨｇの蒸気圧を有する。【００１３】
このようなカルボン酸は主成分中に１０重量％以下、好ましくは３重量％含まれているのが好ましい。この種のカルボン酸は、酢酸、酒石酸、アジピン酸、クエン酸、ラウリン酸の１つ、又は、これらから選択された２種以上の混合物である。【００１４】
実施例
以下のエアロゾル発生液Ａ〜Ｆがそれぞれ準備された。
エアロゾル発生液Ａ〜Ｆの主成分は何れも、主溶剤としてのプロピレングリコール及び親油性の香料としてのＬ−メントールとからなる。エアロゾル発生液Ａ〜Ｅは、カルボン酸として酢酸、酒石酸、アジピン酸、クエン酸及びラウリン酸をそれぞれ含む。エアロゾル発生液Ｆは、前記主成分のみからなる。【００１５】
エアロゾル発生液Ａ〜Ｆにおける組成成分の割合は以下の表１の通りである。
【表１】
2009069519.tif 000003
【００１６】
上述のエアロゾル発生液Ａ〜Ｆに関して、これらエアロゾル発生液の香気エアロゾル化効率、香気エアロゾルの持続性及び香気エアロゾルの風味及び味覚を比較するため、以下の試験１〜３を行った。【００１７】
試験１
エアロゾル発生液Ｃ，Ｆのそれぞれは所定の供給量（例えば２ｍｇ）ずつ、図１に示されるエアロゾル吸引器に使用してエアロゾル化され、そして、この吸引器のマウスピースから送出された香気エアロゾルがフィルタにより捕集された。この後、エアロゾル発生液Ｃ，Ｆの供給量に対し、フィルタに捕集されたエアロゾル発生液Ｃ，Ｆの捕集量の比率、即ち、エアロゾル発生液Ｃ，Ｆの捕集効率が求められ、この結果は以下の表２に示されている。
【表２】
2009069519.tif 000004
【００１８】
表２から明らかなように、カルボン酸としてのアジピン酸を含むエアロゾル発生液Ｃは、アジピン酸を含んでいないエアロゾル発生液Ｆに比べ、捕集効率が高い。このことは、エアロゾル発生液Ｃのエアロゾル化効率、即ち、香料のエアロゾル化効率がエアロゾル発生液Ｆに比べて高いことを示す。【００１９】
図１は、上述の試験１にて使用されたエアロゾル吸引器１を示す。この吸引器１に関して、以下に簡単に説明する。【００２０】
吸引器１はケーシング４を備え、このケーシング４はその後端から突出したマウスピース２を含む。更に、ケーシング４はその先端部の外面に外気導入口６を有する一方、その内部にエアロゾル発生流路８を有する。このエアロゾル発生流路８は外気導入口６からマウスピース２まで延びている。【００２１】
エアロゾル発生流路８の一部は管状の電気的なヒータ１０により規定され、このヒータ１０はケーシング４内に配置されている。ヒータ１０は電力供給回路１２に電気的に接続されており、この電力供給回路１２は電源スイッチ１４を含んでいる。電源スイッチ１４がオン操作されているとき、電力供給回路１２はヒータ１０に電力を供給し、ヒータ１０の温度を所定の温度まで上昇させる。【００２２】
一方、ケーシング４内にはカートリッジ式のシリンジポンプ(syringe pump)１６が収容されている。このシリンジポンプ１６は、そのシリンジバレル(syringe
barrel)１７内に配置されたピスント２０を含み、このピストン２０はシリンジバレル１７内にポンプ室１８を規定する。ピストン２０には玉継手２１を介してスクリュータイプのピストンロッド２２が接続されており、このピストンロッド２２はシリンジバレル１７の仕切壁１９を貫通し、この仕切壁１９に回転自在に支持されている。【００２３】
更に、ピストンロッド２２は、回転カム２４及び復帰ばね２６を介してプッシュボタン２８に接続されており、このプッシュボタン２８はプッシュロッド３０を有する。このプッシュロッド３０はプッシュボタン２８から回転カム２４に向けて突出し、その先端にプッシャ３２を有する。プッシュボタン２８、即ち、プッシャロッド３０の１回の当たりの押込み／戻し操作毎に、プッシャ３２は回転カム２４と協働してピストン２０を所定の距離ずつポンプ室１８内に押込み、これにより、ポンプ室１８の容積を減少させる。【００２４】
一方、ポンプ室１８からはエアロゾル発生流路８に向けて液通路３４が延びており、この液通路３４はヒータ１０よりも上流の合流位置Ｘにてエアロゾル発生流路８に合流している。それ故、ポンプ室１８及び液通路３４内が前述したエアロゾル発生液Ｃ又はＦの溶液Ｌで満たされている状態にて、プッシュボタン２８の押込み／戻し操作が実施されたとき、ピストン２０の移動距離に対応した量の溶液Ｌがエアロゾル発生流路８の合流位置Ｘに供給される。【００２５】
このとき、ユーザがマウスピース２を通じてエアロゾル発生流路８内の空気が吸引されれば、外気導入口６からエアロゾル発生流路８内に外気が導入され、エアロゾル発生流路８内に吸引空気流が発生する。このような吸引空気流は、合流位置Ｘの溶液Ｌをヒータ１０に向けて移動させる。溶液Ｌがヒータ１０に達すると、溶液Ｌはヒータ１０により加熱霧化して香気エアロゾルとなり、この香気エアロゾルは吸引空気とともにマウスピース２から送出される。【００２６】
ここで、前述の説明から明らかなように合流位置Ｘに供給される溶液Ｌの量は２ｍｇである。そして、吸引器１のマウスピース２にはシガレットの自動喫煙機（図示しない）が接続されており、この自動喫煙機は前述した吸引動作を実施する。【００２７】
試験２
図１の吸引器１にエアロゾル発生液Ａ〜Ｆをそれぞれが充填され、そして、自動喫煙機は吸引器１に前述の吸引動作を１０回繰り返し、吸引器１から香気エアロゾルをそれぞれ送出させた。送出された１０回分の香気エアロゾルは気密チャンバに閉じ込められた。この後、気密チャンバ内の香気エアロゾルにレーザ光が照射され、レーザ光の透過光強度、即ち、透過光減衰率の時間変化が測定された。【００２８】
図２中のＤａ〜Ｄfは香気エアロゾルＣａ〜Ｃｆにおける透過光減衰率の時間変化をそれぞれ示しており、香気エアロゾルＣａ〜Ｃｆはエアロゾル発生液Ａ〜Ｆからそれぞれ得られた。【００２９】
図２から明らかなように、香気エアロゾルＣａ〜Ｃｅの透過光減衰率は、香気エアロゾルＣｆに比べて減少し難い。このことは、香気エアロゾルＣａ〜Ｃｅの持続性が香気エアロゾルＣｆに比べて高いことを表している。【００３０】
試験３
官能試験員は、図１の吸引器１を実際に使用して香気エアロゾルＣｃ，Ｃｆをそれぞれ吸引し、これら香気エアロゾルＣｃ，Ｃｆを評価した。ここでの評価結果は、以下の通りであった。【００３１】
香気エアロゾルＣｆの場合には、口腔内でのＬ−メントールの感覚刺激は大きいものの、香気エアロゾルＣｃの場合には口腔内から喉の奥までＬ−メントールの感覚刺激が得られ、また、香気エアロゾルＣｃの吐き出し時にもＬ−メントールの感覚刺激が保たれた。このことは、エアロゾル発生液Ｃから得られた香気エアロゾルＣｃの持続性がエアロゾル発生液Ｆから得られた香気エアロゾルＣｆに比べて向上されていることを示す。
【図１】
2009069519.tif 000005
【図２】
2009069519.tif 000006
【国際調査報告】
2009069519.tif 000007
2009069519.tif 000008
2009069519.tif 000009
2009069519.tif 000010